(57)【要約】【課題】表示画面が配される空間に水等が浸入することを効果的に防止ないし抑制することが可能な表示装置を提供すること。【解決手段】表示装置１は、表示画面２Ａを有する表示部２と、表示部２を囲む枠状をなし、その内周に沿って表示画面２Ａとは反対側に開口する溝状の嵌合溝４Ｄが設けられたパネル部材４と、その端縁６Ｅが嵌合溝４Ｄに嵌合されて当接することでパネル部材４に取り付けられるカバー部材６と、を備える。パネル部材４とカバー部材６とが互いに面当接された状態で組み付けられる従来の構成と比べてパネル部材４とカバー部材６との間に隙間が生じ難いものとなるため、パネル部材４とカバー部材６の平板部６Ａとの間に形成される空間Ｓ２の気密性を高めることができる。その結果、表示画面２Ａが配される空間に水等が浸入することを効果的に防止ないし抑制することができる。【選択図】図４
2015075650.tif 000002
【特許請求の範囲】
【請求項１】
表示画面を有する表示部と、
前記表示部を囲む枠状をなし、その内周に沿って前記表示画面とは反対側に開口する溝状の嵌合溝が設けられたパネル部材と、
その端縁が前記嵌合溝に嵌合されて当接することで前記パネル部材に取り付けられるカバー部材と、を備える、表示装置。
【請求項２】
請求項１に記載の表示装置であって、
前記嵌合溝と前記端縁との間の外部に露出する隙間に接着剤が埋め込まれている、表示装置。
【発明の詳細な説明】
【技術分野】
【０００１】
本発明は、表示装置に関する。
【背景技術】
【０００２】
従来、船舶等に取り付けられる魚群探知機等の表示装置が知られている。この種の表示装置は、通常、表示画面を有する表示部と、表示部を囲む形で配されるパネル部材と、パネル部材とは反対側に配されるカバー部材と、を備え、これらが互いに組み付けられた構成とされる。この種の表示装置では、パネル部材とカバー部材との間に形成される空間に表示画面が配され、この空間に水等が浸入することを防止するため、パネル部材とカバー部材との組み付け部位の内側に樹脂材料で形成されたパッキン等の防水部材が配されることがある。このような防水部材を備える表示装置が、例えば特許文献１に開示されている。
【先行技術文献】
【特許文献】
【０００３】
【特許文献１】特許第４８７１２３５号公報
【発明の概要】
【発明が解決しようとする課題】
【０００４】
しかしながら、上記特許文献１に開示された表示装置では、パネル部材とカバー部材との組み付け部において両者が互いに面当接された状態で組み付けられるため、船舶等の揺れに伴う表示装置の振動によって両者の間に微小な隙間が生じる虞があった。このため、パネル部材とカバー部材との間に形成される空間の気密性を十分に確保することができず、表示画面が配される空間に水等が浸入する虞があった。
【０００５】
本明細書で開示される技術は、上記の課題に鑑みて創作されたものであって、表示画面が配される空間に水等が浸入することを効果的に防止ないし抑制することが可能な表示装置を提供することを目的とする。
【課題を解決するための手段】
【０００６】
本明細書で開示される技術は、表示画面を有する表示部と、前記表示部を囲む枠状をなし、その内周に沿って前記表示画面とは反対側に開口する溝状の嵌合溝が設けられたパネル部材と、その端縁が前記嵌合溝に嵌合されて当接することで前記パネル部材に取り付けられるカバー部材と、を備えることを特徴とする表示装置に関する。
【０００７】
上記の表示装置では、パネル部材とカバー部材とが組み付けられることで両者の間に形成される空間に、表示部の表示画面が配される。このとき、パネル部材の嵌合溝にカバー部材の端縁が嵌合されて当接する形で両者が組み付けられるため、パネル部材とカバー部材との組み付け部において両者が互いに面当接された状態で組み付けられる構成と比べてカバー部材がパネル部材から外れ難い。このため、表示装置が振動等した場合であっても、パネル部材とカバー部材とが互いに面当接された状態で組み付けられる従来の構成と比べてパネル部材とカバー部材との間に隙間が生じ難いものとなり、パネル部材とカバー部材との間に形成される空間の気密性を高めることができる。その結果、表示画面が配される空間に水等が浸入することを効果的に防止ないし抑制することができる。
【０００８】
上記の表示装置において、前記嵌合溝と前記端縁との間の外部に露出する隙間に接着剤が埋め込まれていてもよい。
【０００９】
この構成によると、パネル部材とカバー部材とが接着剤を介して固着されるとともに、パネル部材の嵌合溝とカバー部材の端縁と間の外部に露出する隙間が接着剤によって封止される。このため、パネル部材とカバー部材との間に形成される空間の気密性を一層高めることができ、表示画面が配される空間に水等が浸入することをより効果的に防止ないし抑制することができる。
【発明の効果】
【００１０】
本明細書で開示される技術によれば、表示画面が配される空間に水等が浸入することを効果的に防止ないし抑制することが可能な表示装置を提供することができる。
【図面の簡単な説明】
【００１１】
【図１】表示装置を表側から視た斜視図
【図２】表示装置を裏側から視た斜視図
【図３】表示装置の側面図
【図４】表示装置の側断面図
【図５】図４において要部を拡大した要部断面図
【図６】表示装置の要部を拡大した断面斜視図
【発明を実施するための形態】
【００１２】
図面を参照して実施形態を説明する。本実施形態では、船舶等に取り付けられる魚群探知機等に用いられる表示装置１を例示する。図１及び図２に示すように、表示装置１は、前方（図１では紙面左側）に露出して配された表示部２と、表示部２を囲むパネル部材４と、後方に配されたカバー部材６と、を備え、これらが互いに組み付けられた構成とされる。
【００１３】
なお、各図面の一部には互いに直交するＸ軸、Ｙ軸及びＺ軸を示しており、各軸方向が各図面で共通した方向となるように描かれている。このうちＸ軸方向は左方向（左側方）と一致しており、Ｙ軸方向は上方向と一致しており、Ｚ軸方向は後方向（裏方向）と一致している。
【００１４】
（表示装置の構成）
表示部２は、前方から視て略正方形状をなしており、表示画面２Ａと保護パネル２Ｂと操作部２Ｃとを有している。表示画面２Ａは、図４に示すように、液晶パネル２Ａ１と、プリント基板からなり、液晶パネル２Ａ１の後方から光を供給するバックライト２Ａ２と、からなっている。保護パネル２Ｂは、防水性及び透過性を有する部材であり、表示画面２Ａの前面を覆うように配され、表示装置１の前方の外観を構成することで表示画面２Ａを外部から保護している。表示画面２Ａの下方には、ダイヤルや複数のラバーキーからなる操作部２Ｃが設けられている。
【００１５】
パネル部材４は、樹脂材料で形成され、表示部２を囲む枠状をなすことで表示部２の側面の全域を覆う枠状部４Ａと、液晶パネル２Ａ１とバックライト２Ａ２の間に介在する介在部４Ｂと、操作部２Ｃのダイヤルの骨格をなす骨格部４Ｃと、を有している。パネル部材４の枠状部４Ａは、表示装置１の前方側面の外観を構成する。
【００１６】
カバー部材６は、前方に開口する略箱状をなし、表示部２及びパネル部材４の後方側に配されて表示装置１の後方の外観を構成する。カバー部材６は、樹脂材料で形成され、パネル部材４の後方側にその内周に沿って取り付けられる略正方形の平板状の平板部６Ａと、この平板部６Ａの裏面から円筒状に突出する取付部６Ｂと、からなっている。カバー部材６は、その平板部６Ａの一部がパネル部材４と組み付けられている。パネル部材４とカバー部材６との組み付け構造については、後で詳しく説明する。
【００１７】
図２及び図３に示すように、取付部６Ｂの外周面の一部にはネジ溝６Ｃが形成されており、このネジ溝６Ｃに円環状をなす取付ナット２０が螺合されている。本実施形態の表示装置１を船体等に設けられた取付パネルの取付孔（不図示）に取り付ける場合、表示装置１の取付部６Ｂを取付孔に挿通し、取付ナット２０をネジ溝６Ｃに螺合することで、取付パネルの取付孔の開口縁が平板部６Ａと取付ナット２０との間に挟み込まれる。これにより、表示装置１を取付パネルに取り付けることができる。なお、この取付ナット２０の外周面には、その全周に亘って複数の突起２０Ａが略等間隔で形成されている。
【００１８】
円形状とされた取付部６Ｂの後面のうち上側の半円部分には、図２に示すように、表示部２に電源を供給するための下方に開口する３つの電源コネクタ７Ａ，７Ｂが設けられている。このうち３つの電源コネクタ７Ａ，７Ｂのうち、略中央に設けられた１つのコネクタは第１電源コネクタ７Ａとされ、他の２つは第２電源コネクタ７Ｂとされる。表示装置１の作動時には、第１電源コネクタ７Ａと第２電源コネクタ７Ｂのうちいずれか一方が用いられ、他の一方はシールテープ等によって封止される。
【００１９】
円形状とされた取付部６Ｂの後面のうち下側の半円部分には、図２に示すように、後方に向かってさらに突出する突出部６Ｄが設けられている。突出部６Ｄの右側方には、左側方及び後方に開口する収容部８が設けられている。この収容部８には、金属製のロック部材３０が収容されている。ロック部材３０は、収容部８に収容された状態で前後方向（Ｚ軸方向）に沿って移動可能とされている。
【００２０】
ロック部材３０は、収容部８に収容された状態でその先端が取付ナット２０の側方に位置するまで延在しており、その先端には内側に屈曲して伸びる屈曲部３０Ａが設けられている。この屈曲部３０Ａは、取付ナット２０の外周面に設けられた複数の突起２０Ａのうち一対の突起２０Ａの間に進入しており、これにより、取付ナット２０が回転不能にロックされている。そして、ロック部材３０を一対の突起２０Ａの間から外れる位置まで前後方向に沿って移動させることで、取付ナット２０の回転のロックを解除できるようになっている。
【００２１】
取付部６Ｂの内側に形成される空間Ｓ１には、図４等に示すように、第１電源コネクタ７Ａ及び第２電源コネクタ７Ｂに接続された電源基板１０が配されている。第１電源コネクタ７Ａ又は第２電源コネクタ７Ｂを通じて電源基板１０に入力された電力は、電源基板１０を介してバックライト２Ａ２に供給される。また、パネル部材４とカバー部材６の平板部６Ａとの間に形成される空間Ｓ２（図４参照）は、上記空間Ｓ１と連通しており、この空間Ｓ２には上記表示部２の表示画面２Ａが配されている。
【００２２】
（パネル部材とカバー部材との組み付け構造）
続いてパネル部材４とカバー部材６との組み付け構造について説明する。図４乃至図６に示すように、パネル部材４の枠状部４Ａの内周には、表示画面２Ａとは反対側（カバー部材６側、表示装置１の後方側）に開口する溝状の嵌合溝４Ｄが設けられている。この嵌合溝４Ｄは枠状部４Ａに沿ってその内周の全域に形成されている。
【００２３】
一方、カバー部材６は、図４に示すように、平板部６Ａの端辺がその全周に亘って前方にわずかに突出しており、この突出する部位が略箱状をなして前方に開口するカバー部材６の端縁６Ｅとなっている。このカバー部材６の端縁６Ｅは、その全域がパネル部材４の枠状部４Ａの内側に配されている。そしてカバー部材６の端縁６Ｅの内側に、表示部２の表示画面２Ａ及びパネル部材４の介在部４Ｂが配された構成となっている。
【００２４】
図５に示すように、パネル部材４の嵌合溝４Ｄの溝幅は、カバー部材６の端縁６Ｅの厚みよりわずかに大きいものとされている。そして嵌合溝４Ｄには、図４乃至図６に示すように、当該カバー部材６の端縁６Ｅがその全周に亘って嵌合されている。カバー部材６の端縁６Ｅは、嵌合溝４Ｄに嵌合された状態でその先端部が嵌合溝４Ｄの底面４Ｄ１と当接しており、これにより、パネル部材４とカバー部材６の平板部６Ａとの間に形成される空間Ｓ２の気密性が確保されている。このような構造によって、パネル部材４とカバー部材６とが互いに組み付けられている。
【００２５】
パネル部材４の枠状部４Ａは、後方側に向かって外側にわずかに傾斜するテーパ状をなしており、これにより、パネル部材４の嵌合溝４Ｄとカバー部材６の端縁６Ｅとの間に表示装置１の後方外部に露出する隙間Ｓ３（図４及び図６参照）が形成されている。この隙間Ｓ３には、図５に示すように、シール剤（接着剤の一例）４０が埋め込まれている。なお、図４及び図６では、上記隙間Ｓ３の説明のためシール剤４０の図示を省略している。
【００２６】
上記隙間Ｓ３に埋め込まれたシール剤４０は、例えばシリコン系のものが用いられる。表示装置１の製造過程においてパネル部材４とカバー部材６とを組み付ける際には、まず、カバー部材６の端縁６Ｅをパネル部材４の嵌合溝４Ｄに嵌合させてその先端部を嵌合溝４Ｄの底面４Ｄ１に当接させる。次に、嵌合溝４Ｄとカバー部材６の端縁６Ｅとの間に形成される上記隙間Ｓ３に液状のシール剤４０を流し込み、その後にシール剤４０を固化させることで、パネル部材４とカバー部材６とがその組み付け部においてシール剤４０を介して互いに接着される。以上の手順によって、パネル部材４とカバー部材６とを組み付けることができる。
【００２７】
（実施形態の効果）
以上説明したように本実施形態の表示装置１では、パネル部材４とカバー部材６とが組み付けられることでパネル部材４とカバー部材６の平板部６Ａの間に形成される空間Ｓ２に、表示部２の表示画面２Ａが配される。このとき、パネル部材４の嵌合溝４Ｄにカバー部材６の端縁６Ｅが嵌合されてその先端部が嵌合溝４Ｄの底面４Ｄ１に当接する形で両者が組み付けられる。このため、パネル部材４とカバー部材６との組み付け部において両者が互いに面当接された状態で組み付けられる構成と比べてカバー部材６がパネル部材４から外れ難いものとなっている。
【００２８】
このようにカバー部材６がパネル部材４から外れ難いものとなっていることで、表示装置１が振動等した場合であっても、パネル部材４とカバー部材６とが互いに面当接された状態で組み付けられる従来の構成と比べてパネル部材４とカバー部材６との組み付け部に隙間が生じ難いものとなり、パネル部材４とカバー部材６の平板部６Ａとの間に形成される空間の気密性が高められている。その結果、表示画面２Ａが配される空間に水等が浸入することを効果的に防止ないし抑制することができる。従って、特に防水性が要求される魚群探知機の分野においては、本実施形態の表示装置１は好適である。
【００２９】
また本実施形態の表示装置１では、パネル部材４の嵌合溝４Ｄとカバー部材６の端縁６Ｅとの組み付け部において外部に露出する隙間Ｓ３にシール剤４０が埋め込まれている。このような構成とされていることで、パネル部材４とカバー部材６とが当該シール剤４０を介して固着されるとともに、パネル部材４の嵌合溝４Ｄとカバー部材６の端縁６Ｅと間の外部に露出する隙間Ｓ３が当該シール剤４０によって封止される。このため、パネル部材４とカバー部材６の平板部６Ａとの間に形成される空間の気密性を一層高めることができ、表示画面２Ａが配される空間に水等が浸入することをより効果的に防止ないし抑制することができる。
【００３０】
ここで、前後方向においてパネル部材とカバー部材との間にパッキン等の防水部材が挟み込まれた形で両者が組み付けられた従来の構成では、表示装置の側面にパネル部材とカバー部材との併せ面が形成される。この場合、表示装置が高温環境下に晒されると、パネル部材とカバー部材の各々が熱膨張によって外側に広がり、上記併せ面がずれ、表示装置の意匠性が低下する虞がある。これに対し本実施形態の表示装置１では、パネル部材４の枠状部４Ａの内周に設けられた嵌合溝４Ｄにカバー部材６の端縁６Ｅが嵌合されるため、表示装置１の側面に上記併せ面が形成されない構成となっている。このため、表示装置１が高温環境下に晒されてパネル部材４とカバー部材６の各々が熱膨張した場合であっても、表示装置１の意匠性が低下することがない。
【００３１】
また本実施形態では、パネル部材４の嵌合溝４Ｄにカバー部材６の端縁６Ｅが嵌合されてその先端部が嵌合溝４Ｄの底面４Ｄ１当接する形で両者が組み付けられる。このため、パネル部材４とカバー部材６との組み付け部において両者が互いに面当接された状態で組み付けられる従来の構成と比べて、パネル部材４とカバー部材６とが重なり合う部分の面積を大きくすることができ、また、表示装置１の前後方向においてパッキン等の防水部材を配するためのスペースを設けることが不要となる。これにより、パネル部材４とカバー部材６との組み付け部において両者が互いに面当接された状態で組み付けられる従来の構成と比べて、当該組み付け部の厚み（前後方向の寸法、Ｚ軸方向の寸法）を小さくすることができる。その結果、表示装置１の薄型化を図ることができる。
【００３２】
また、パネル部材とカバー部材との組み付け部において両者の間にパッキン等の防水部材が介在する従来の構成では、両者の間に防水部材を挟み込むためにカバー部材の裏側からこれらを複数のネジによってネジ留めすることが必要となる。これに対し本実施形態の表示装置１では、パネル部材４とカバー部材６との組み付け部において両者の間に防水部材が介在しないため、上記挟み込むためのネジ留めが不要となり、必要となるネジの数を減らすことができる。このため、表示装置１の意匠性を向上させることができる。
【００３３】
また、上記挟み込むためのネジ留めを必要とする従来の構成では、ネジが緩むこと等に起因してパネル部材とカバー部材との組み付け部にがたつきが発生する虞がある。これに対し本実施形態の表示装置１では、上記挟み込むためのネジ留めが不要となり、必要となるネジの数を減らすことができるため、上記挟み込むためのネジ留めを必要とする従来の構成に比べて、パネル部材４とカバー部材６との組み付け部にがたつきが発生することを防止ないし抑制することができる。
【００３４】
また本実施形態では、カバー部材６の端縁６Ｅがその全周に亘ってパネル部材４の嵌合溝４Ｄに嵌合される形でパネル部材４とカバー部材６とが組み付けられる構成となっている。このため、上記挟み込むためのネジ留めを必要とする従来の構成に比べてパネル部材４とカバー部材６とを安定して組み付けることができる。
【００３５】
また、表示装置が船舶に取り付けられる魚群探知機として用いられる場合、表示装置の後方側に比べて前方側の方が波に晒され易い。このため、パネル部材の嵌合溝が表示装置の前方側に開口する形でパネル部材の嵌合溝にカバー部材の端縁が嵌合される構成とされていると、表示装置が魚群探知機として用いられる場合、パネル部材の嵌合溝とカバー部材の端縁との間の隙間に水が浸入する虞がある。これに対し本実施形態では、パネル部材４の嵌合溝４Ｄが表示装置１の後方側に開口する形でパネル部材４の嵌合溝４Ｄにカバー部材６の端縁６Ｅが嵌合される構成とされているため、表示装置１が魚群探知機として用いられる場合であっても、パネル部材４の嵌合溝４Ｄとカバー部材６の端縁６Ｅとの間に水が一層浸入し難いものとなっている。
【００３６】
＜実施形態の変形例＞
上記した実施形態の変形例について説明する。変形例に係る表示装置では、パネル部材の嵌合溝の内側にさらに第２の嵌合溝が形成されており、カバー部材の端縁の内側にさらに第２の端縁が形成されている。そして、嵌合溝にカバー部材の端縁が嵌合されるとともに上記第２の嵌合溝に上記第２の端縁が嵌合されることで、パネル部材とカバー部材とが互いに組み付けられるようになっている。このような組み付け構造とされていることで、パネル部材とカバー部材との嵌合部が二重に形成されるため、パネル部材とカバー部材の平板部に形成される空間の気密性を一層高めることができる。その結果、表示画面が配される空間に水等が浸入することを一層防止ないし抑制することができる。
【００３７】
＜他の実施形態＞
本発明は上記既述及び図面によって説明した実施形態に限定されるものではなく、例えば次のような実施形態も本発明の技術的範囲に含まれる。
【００３８】
（１）上記の実施形態では、カバー部材の端縁が嵌合溝に嵌合された状態でその先端部が嵌合溝の底面に当接する構成を例示したが、嵌合溝のうちカバー部材の端縁の先端部が当接する部位については限定されない。例えば、嵌合溝の側面にカバー部材の端縁の先端部が当接する構成であってもよい。
【００３９】
（２）上記の実施形態では、パネル部材とカバー部材との嵌合部が一重に形成された構成を、変形例ではパネル部材とカバー部材との嵌合部が二重に形成された構成をそれぞれ例示したが、パネル部材とカバー部材との嵌合部が三重以上に形成された構成であってもよい。
【００４０】
（３）上記の実施形態では、パネル部材の枠状部が後方側に向かって外側にわずかに傾斜するテーパ状をなしている構成を例示したが、例えばパネル部材の枠状部が後方側に向かって内側にわずかに傾斜するテーパ状をなしていてもよい。この構成では、後方側に向かって外側に傾斜するテーパ状をなしている場合と比べて、枠状部の内側に水等が浸入し難いものとすることができる。またこの場合、例えばカバー部材の端縁を前方側に向かって外側にわずかに傾斜するテーパ状とすることで、パネル部材の枠状部とカバー部材の端縁との間にシール剤等を埋め込むための空間を設けることができる。
【００４１】
（４）上記の実施形態では、パネル部材の枠状部がテーパ状とされた構成を例示したが、パネル部材の枠状部やカバー部材の端縁がテーパ状とされていなくともよい。パネル部材の枠状部やカバー部材の端縁をテーパ状にする以外に、枠状部や端縁に切り欠き部を設けることによっても、パネル部材の枠状部とカバー部材の端縁との間にシール剤等を埋め込むための空間を設けることができる。要するに、カバー部材の端縁がパネル部材の嵌合溝に嵌合されたときに、嵌合溝と端縁との間に外部に露出する隙間が設けられる構成とされていればよい。
【００４２】
（５）上記の実施形態では、取付部にネジ溝が形成され、平板部と取付部に螺合した取付ナットとの間に船体等に設けられた取付パネルの取付孔の開口縁を挟み込むことで、取付パネルに表示装置を取り付けることが可能な構成を例示したが、取付ナットを備えない構成であってもよく、取付パネルに対する表示装置の取り付け構造及び取付態様については限定されない。
【００４３】
（６）上記の実施形態では、カバー部材の収容部に収容されたロック部材によって取付ナットが回転不能にロックされる構成を例示したが、このようなロック部材を備えない構成であってもよい。
【００４４】
（７）上記の実施形態では、魚群探知機等に用いられる表示装置について例示したが、他の様々な用途に用いられる表示装置についても本発明は適用可能である。
【００４５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【符号の説明】
【００４６】
１…表示装置
２…表示部
２Ａ…表示画面
２Ａ１…液晶パネル
２Ａ２…バックライト
２Ｂ…保護パネル
２Ｃ…操作部
４…パネル部材
４Ａ…枠状部
４Ｂ…介在部
４Ｃ…骨格部
４Ｄ…嵌合溝
４Ｄ１…（嵌合溝の）底面
６…カバー部材
６Ａ…平板部
６Ｂ…取付部
６Ｃ…ネジ溝
６Ｄ…突出部
６Ｅ…（カバー部材の）端縁
８…収容部
１０…電源基板
２０…取付ナット
２０Ａ…突起
３０…ロック部材
３０Ａ…屈曲部
４０…シール剤
Ｓ１…取付部の内側に形成される空間
Ｓ２…パネル部材とカバー部材の平板部との間に形成される空間
Ｓ３…嵌合溝と端縁との間の外部に露出する隙間
【図１】
2015075650.tif 000003
【図２】
2015075650.tif 000004
【図３】
2015075650.tif 000005
【図４】
2015075650.tif 000006
【図５】
2015075650.tif 000007
【図６】
2015075650.tif 000008